(57)【要約】　　　（修正有）【課題】農園芸用ハウスのシート押え具において、索体を支持体に縛り付ける作業を行うことなく、容易にかつ短時間で索体を支持体に連結することができ、索体に張力を与える作業やその張力を解放して索体を緩める作業も容易にかつ短時間で行うことができるようにする。【解決手段】支持体６と帯状の索体５とクランパー７とからなる。クランパー７は、矩形の２つの環体８，９を帯輪１０によってスライド可能に連結して形成する。２つの環体８，９によって形成した３つの開口に、支持体６に係止される輪部５４を形作った索体５の２枚重ね部５３を蛇行してスライド自在に挿通する。索体５に張力が与えられた状態では、２枚重ね部５３の非端縁側部位の２箇所が環体８の２つの横杆部に圧接する反力で、端縁側部位の２箇所が環体９の２つの横杆部に滑らないように押圧される。【選択図】　　　　図１
0003097850.tif 000002
【実用新案登録請求の範囲】
【請求項１】
農園芸用ハウスの骨組みによって保形されたシートの上に張設されてその端部が上記ハウスの下部に配備された支持体に連結される索体を備える農園芸用ハウスのシート押え具において、
上記支持体と、帯状に形成された上記索体と、その索体を上記支持体に連結するためのクランパーとからなり、
上記クランパーが、一対ずつの縦杆部と横杆部とにより同一の大きさ及び形状を持つ矩形に形作られかつ互いに重なり状態で縦杆部の長手方向にスライド自在に連結された金属製の２つの環体を有し、それらの環体をスライドさせて位置ずれさせたときに一方側の環体の一対の横杆部と他方側の環体の一対の横杆部とにより形成される３つの開口のそれぞれに、ループ状に折り返すことにより上記支持体に係止される輪部を形作った上記索体の端部の２枚重ね部を蛇行してスライド自在に挿通させることができ、かつ、上記索体に張力が付与されたときに、３つの上記開口に挿通された上記２枚重ね部の非端縁側部位の２箇所が一方側の環体の２つの横杆部に圧接する反力で、上記２枚重ね部の端縁側部位の２箇所が上記非端縁側部位によって他方側の環体の２つの横杆部に滑らないように押圧されるようになっていることを特徴とする農園芸用ハウスのシート押え具。
【請求項２】
一方側の環体の２つの上記横杆部は、上記索体の２枚重ね部の非端縁側部位に対する圧接部が尖り形状の稜線部として形成されている請求項１に記載した農園芸用ハウスのシート押え具。
【請求項３】
他方側の環体の２つの上記横杆部は、上記索体の２枚重ね部の端縁側部位に対する圧接部が尖り形状の稜線部として形成されている請求項１又は請求項２に記載した農園芸用ハウスのシート押え具。
【請求項４】
２つの上記環体の互いに重なり合った横杆部同士が金属製の帯輪に重なり状態のままスライド自在に挿通されてそれら２つの環体がスライド自在に連結されている請求項１ないし請求項３のいずれか１項に記載した農園芸用ハウスのシート押え具。
【考案の詳細な説明】
【０００１】
【考案の属する技術分野】
本考案は、農園芸用ハウスのシート押え具、特に、農園芸用ハウスの骨組みによって保形されたシートの形崩れなどを防ぐために用いられるシート押え具に関する。
【０００２】
【従来の技術】
図６に概略で示したように、農園芸用ハウスは、所定の形状に組まれた骨組み１の上に塩化ビニル樹脂シートなどのシート２を張設することによって作られている。また、室内温度などを調節することの便宜のために、農園芸用ハウスの側面部のシート２をめくり上げて開口を形成するための昇降部材（図示せず。）が取付けられた横パイプ３が設けられていることもある。このような農園芸用ハウスにおいて、風に煽られてシート２がばたついたり形崩れしたりすることを防ぐためにシート押え具４が用いられる。
【０００３】
図６の農園芸用ハウスにおいて、シート押え具４は、シート２の上部から側部に亘る部分を囲むようにそのシート２の上に張設された紐や縄などの索体５と、上記ハウスの下部にアンカー６１によって支えられたシャフトやパイプ材でなる支持体６とを備えていて、索体５の端部を支持体６に縛りつけることにより、索体５に一定の張力を与えて支持体６に連結している。５１は索体５の縛り箇所に形成された結び目を示している。
【０００４】
この種の農園芸用ハウスでは、横パイプ３によってシート２をめくり上げるとき、索体５が自然に緩んだとき、その他の必要なときに、上記結び目５１をほどいて索体５を緩めたり、結び目５１をほどいた索体５を再度支持体６に縛りつけて張力を与えるという作業が手作業によって行われていた。
【０００５】
【考案が解決しようとする課題】
しかしながら、索体５を結んで支持体６に縛り付けたり、結び目５１を解いて索体５を緩めたりする作業を手作業で行うことには多大な時間と手間が必要になる。特に、長さの長いハウスでは、多くの箇所に索体５が張設されているためにその作業に非常に多くの時間や手間がかかっていた。
【０００６】
本考案は以上の状況の下でなされたものであり、索体を支持体に縛り付けたり索体の結び目を解いて索体を緩めたりするという作業に代え、支持体に係止させた索体の端部をクランパを用いて保持させ得るようにして、支持体に連結した索体に張力を与えたりその張力を解放して索体を緩めたりする作業の簡略化を図るようにすることと併せ、張力を与えて支持体に連結した索体が容易に緩むことのない農園芸用ハウスのシート押え具を提供することを目的とする。
【０００７】
また、本考案は、上記クランパの製作コストを安くして当該シート押え具を安価に提供することを目的とする。
【０００８】
【課題を解決するための手段】
本考案に係る農園芸用ハウスのシート押え具は、農園芸用ハウスの骨組みによって保形されたシートの上に張設されてその端部が上記ハウスの下部に配備された支持体に連結される索体を備える農園芸用ハウスのシート押え具において、上記支持体と、帯状に形成された上記索体と、その索体を上記支持体に連結するためのクランパーとからなる。
【０００９】
そして、上記クランパーが、一対ずつの縦杆部と横杆部とにより同一の大きさ及び形状を持つ矩形に形作られかつ互いに重なり状態で縦杆部の長手方向にスライド自在に連結された金属製の２つの環体を有し、それらの環体をスライドさせて位置ずれさせたときに一方側の環体の一対の横杆部と他方側の環体の一対の横杆部とにより形成される３つの開口のそれぞれに、ループ状に折り返すことにより上記支持体に係止される輪部を形作った上記索体の端部の２枚重ね部を蛇行してスライド自在に挿通させることができ、かつ、上記索体に張力が付与されたときに、３つの上記開口に挿通された上記２枚重ね部の非端縁側部位の２箇所が一方側の環体の２つの横杆部に圧接する反力で、上記２枚重ね部の端縁側部位の２箇所が上記非端縁側部位によって他方側の環体の２つの横杆部に滑らないように押圧されるようになっている。
【００１０】
この構成を備えたシート押え具によれば、帯状の索体をループ状に折り返すことにより形作った輪部を支持体に係止させ、その索体の端部の２枚重ね部をクランパーの上記３つの開口に蛇行状に挿通させた状態で、２枚重ね部の端縁側部位をクランパーから引き出すと索体の有効長が短くなって索体に張力が与えられる。そして、索体に張力が与えられている状態では、２枚重ね部の非端縁側部位の２箇所が一方側の環体の２つの横杆部に圧接する反力で、２枚重ね部の端縁側部位の２箇所が非端縁側部位によって他方側の環体の２つの横杆部に押圧されるために、２枚重ね部位の端縁側部位が他方側の環体の２つの横杆部と滑らなくなって索体が支持体に連結される。
【００１１】
そのため、従来のように索体を結んで支持体に縛り付ける必要がなくなり、しかも、索体をループ状に折り返して支持体に係止させたり、２枚重ね部位をクランパーの上記開口に蛇行状に挿通させる作業は、索体を結んで支持体に縛り付ける場合よりも短時間で確実に行うことができるので、索体を支持体に連結する作業に要する時間や手間を省けることになる。また、索体に与える張力を大きくすればするほど、言い換えると索体を強く引張っておけばおくほど、非端縁側部位が端縁側部位の２箇所を他方側の環体の２つの横杆部に押圧する力が大きくなって端縁側部位が滑らないように押圧され、索体が緩みにくくなるので、索体に高張力を与えてシートの形崩れなどを長期に亘って確実に防止することが可能になる。また、これとは逆に、たとえば、２つの環体をスライドさせることによって一方側の環体の横杆部を他方側の環体の横杆部に近付けたり、索体の中間部を引き寄せたりすることによって、索体の張力の影響が２枚重ね部に及ばないようにして２枚重ね部の張力を解放すると、クランパーの２つの環体の横杆部に対する押圧力が極端に小さくなるので、２枚重ね部の端縁側部位をクランパー側へ押し込むことによって索体の有効長を長くすると索体が緩む。したがって、図６で示した昇降部材（図示せず。）が取付けられた横パイプ３によってシート２をめくり上げるときなどには、索体５を支持体６から外さずに緩めるだけで済む。
【００１２】
このように本考案に係るシート押え具は、索体の端部を支持体に連結する作業を結び目を作らずに容易に短時間で行うことができ、しかも、支持体に連結した索体の端部の２枚重ね部の端縁側部品をクランパーから引き出したりクランパーに押し込んだりするだけで容易に短時間で索体に張力を与えたり索体を緩めたりすることができるという作用を奏する。しかも、索体が張力を有している状態では、その張力の作用で索体の２枚重ね部がクランパーに滑らないように連結されるので、シートに加わる風の煽り作用などによって索体が緩むという事態が起こりにくくなる。
【００１３】
本考案では、一方側の環体の２つの上記横杆部を、上記索体の２枚重ね部の非端縁側部位に対する圧接部が尖り形状の稜線部として形成するという構成を採用しておくことが望ましい。これによれば、その横杆部の尖り形状の稜線部が索体の２枚重ね部の端縁側部位に引掛かるという作用が相乗して、索体が支持体にいっそう緩みにくい状態で連結されることになる。また、他方側の環体の２つの上記横杆部を、上記索体の２枚重ね部の端縁側部位に対する圧接部が尖り形状の稜線部として形成しておいてもよく、そのようにしておくと、索体の２枚重ね部の端縁側部位が他方側の環体の横杆部に押圧して滑らなくなるという作用に加えて、他方側の環体の２つの横杆部の尖り形状の稜線部が２枚重ね部の端縁側部位に引掛かるという作用が相乗して、索体が支持体にいっそう緩みにくい状態で連結されることになる。
【００１４】
本考案では、２つの上記環体の互いに重なり合った横杆部同士が金属製の帯輪に重なり状態のままスライド自在に挿通されてそれら２つの環体がスライド自在に連結されていることが望ましい。これによれば、２つの環体の重なり状態が損なわれることに起因する索体の緩みが起こりにくくなる。また、同じ形状及び大きさの２つの環体を金属製の２つの帯輪によってスライド自在に連結しただけの構成であるので、２つの環体が開いてがたつくという事態の起こりにくいクランパーを安価に製作することができるという利点がある。
【００１５】
【考案の実施の形態】
図１は本考案の実施形態に係るシート押え具の使用状態での要部を示した概略斜視図、図２は図１の要部の拡大図、図３はクランパー７の正面図、図４はクランパー７の平面図、図５は作用説明図である。
【００１６】
図１に示したように、実施形態のシート押え具は、図６で説明したハウスの下部に配備された支持体６と、図６で説明した骨組み１によって保形されたシート２の上部から側部に亘る部分を囲むようにそのシート２の上に張設された索体５と、クランパー７とによって構成されている。
【００１７】
索体５には、所定の幅寸法を有する帯状の樹脂バンドが採用されていて、その樹脂バンドには、等間隔おきに平行な条線５２が具備されていて、その条線５２の形成箇所では、樹脂バンドの肉厚が他の箇所よりも少し厚くなっていて、この条線５２が樹脂バンドの伸縮を抑制する作用を発揮するようになっている。
【００１８】
図３又は図４のように、クランパー７は矩形の２つの環体８，９を有している。これらの環体８，９は、金属製の断面四角形の角棒を曲げ加工することによって、一対ずつの縦杆部８１，９１と横杆部８２，９２とを備えた同一の大きさ及び形状を持つ矩形に形作られていて、大きな曲げ剛性が与えられている。また、縦杆部８１，９１や横杆部８２，９２の前側、後側、内側及び外側には、上記角棒のコーナによって形成されている尖り形状の稜線部８３，９３が位置している。さらに、２つの環体８，９は図４のように重なり合っていて、それらの環体８，９の左右の互いに重なり合った横杆部８１，９１同士が、金属製の帯輪１０に重なり状態のままスライド自在に挿通されていて、この構成によって、２つの環体８，９がスライド自在に連結されている。
【００１９】
このクランパー７において、２つの環体８，９をスライドさせて位置ずれさせたときには、図３に見られるように、一方側の環体８の一対の横杆部８２，８２と他方側の環体９の一対の横杆部９２，９２とにより３つの開口７１，７２，７３が形成される。そして、これらの開口７１，７２，７３には、図１又は図２のように、ループ状に折り返すことにより支持体６に係止される輪部５４を形作った索体５の端部の２枚重ね部５３が蛇行してスライド自在に挿通される。
【００２０】
このように、クランパー７の３つの開口７１，７２，７３に索体５の２枚重ね部５３を蛇行させて挿通させ、かつ、その索体５の輪部５４を支持体６に巻き掛け状に係止させた場合において、索体５に張力が付与されたとき、及び、索体５の張力が解放されたときなどの作用を図５を参照して説明する。
【００２１】
図５において、緩んでいる索体５に張力を与えるときには、それぞれの環体８，９の横杆部８２，９２に対して２枚重ね部５３の端縁側部位５３ａや非端縁側部位５３ｂを滑らせながら、端縁側部位５３ａをクランパー７から矢印ａのように引き出して非端縁側部位５３ｂをクランパー７に引き込む。この操作は、２つの環体８，９を、それらの横杆部８２，９２が互いに近付く方向にスライドさせるという操作を併せ行うことによって小さい力で容易に行うことができる。
【００２２】
上記のようにして索体５に張力が与えられると、３つの開口７１，７２，７３に挿通されている２枚重ね部５３の非端縁側部位５３ｂの２箇所が一方側の環体８の２つの横杆部８２，８２に圧接する反力で、２枚重ね部５３の端縁側部位５３ａの２箇所が非端縁側部位５３ｂによって他方側の環体９の２つの横杆部９２，９２に押圧されて滑らなくなる。しかも、他方側の環体９の２つの横杆部９２，９２の端縁側部位５３ａに対する圧接部には、その環体９の内側に位置する尖り形状の稜線部９３が相当しているので、その稜線部９３が２枚重ね部５３の端縁側部位５３ａに引掛かってその端縁側部位５３ａがいっそう滑りにくくなる。さらに、一方側の環体８の２つの横杆部８２，８２の非端縁側部位５３ｂに対する圧接部には、その環体８の内側に位置する尖り形状の稜線部８３が相当しているので、その稜線部８３が２枚重ね部５３の非端縁側部位５３Ｂに引掛かってその端縁側部位５３ａもいっそう滑りにくくなる。
【００２３】
これに対し、索体５に与えられた張力を解放するときには、索体５を下方に少し引き寄せることによって索体５の張力の影響が２枚重ね部５３に及ばないようにして２枚重ね部５３の張力を解放し、その状態で、２枚重ね部５３の端縁側部位５３ａを上方からクランパー７の開口７１に押し込んだり、輪部５４の端縁側部位をクランパー７の開口７３から下方に引き出したりすることによって索体の有効長を長くする。この操作も、２つの環体８，９を、それらの横杆部８２，９２が互いに近付く方向にスライドさせるという操作を併せ行うことによって小さい力で容易に行うことができる。
【００２４】
このことから判るように、このシート押え具では、索体５を支持体６に連結するときにその索体５を支持体６に縛り付ける必要がない。また、索体５を緩めるときには、その索体５を支持体６から取り外す必要がない。しかも、索体５をループ状に折り返して支持体６に係止させたり、２枚重ね部位５３をクランパーの開口７１，７２，７３に蛇行状に挿通させる作業は、索体５を結んで支持体６に縛り付ける場合よりも短時間で確実に行うことができる。その結果、索体５を支持体６に連結する作業に要する時間が従来に比べて大幅に短縮され、また、その手間が従来に比べて顕著に軽減されることになる。
【００２５】
その上、図５で説明したところから判るように、索体５に与える張力を大きくすればするほど、言い換えると索体５を強く引張っておけばおくほど、２枚重ね部５３の非端縁側部位５３ｂが端縁側部位５３ａの２箇所を環体９の２つの横杆部９２，９２の稜線部９３，９３に押圧する力が大きくなって端縁側部位５３ａが滑らなくなり、同時に、２つの環体８，９のそれぞれの横杆部８２，９２の稜線部８３，９３が２枚重ね部５３の非端縁側部位５３ｂや端縁側部位５３ａに強く引掛かるようになって索体５が緩みにくくなるので、索体５に高張力を与えてシート２（図６参照）の形崩れなどを長期に亘って確実に防止することが可能になる。また、これとは逆に、たとえば索体５の中間部を下方に引張って２枚重ね部５３の張力を解放するだけで、クランパー７の２つの環体８，９の横杆部８２，９２に対する押圧力が極端に小さくなるので、２枚重ね部５３の端縁側部位５３ａをクランパー７側へ押し込んで索体５の有効長を長くするだけで索体５の全体を容易に緩めることができる。したがって、図６で示した横パイプ３によってシート２をめくり上げるときなどには、索体５を支持体６から外さずに緩めるだけで済む。
【００２６】
【考案の効果】
以上のように、本考案に係るシート止め具によれば、従来のように索体を支持体に縛り付けるという作業を行うことなく、容易にかつ短時間で索体を支持体に連結することができ、索体に張力を与える作業やその張力を解放して索体を緩める作業も容易にかつ短時間で行うことができ、しかも、索体を緩める作業は索体を支持体から取り外さずに行うことができるという効果が奏される。特に、索体の張力が大きければ大きいほどその索体が緩みにくくなるようにクランパーが作用するので、高張力を与えられた索体によってシートの形崩れなどを長期に亘って防ぐことが可能になる。このようなシート押え具は、図６で説明したような農園芸ハウスのように、シートの多く箇所をシート押え具で押さえて風による煽りやシートの形崩れを防ぐ必要がある場合に特に好適に用い得る。また、クランパーが同じ形状及び大きさの環体を帯輪でスライド自在に連結しただけの簡単な構成を備えているので、そのクランパーを安価に製作でき、ひいては当該シート押え具を安価に提供することが可能になる。
【図面の簡単な説明】
【図１】本考案の実施形態に係るシート押え具の使用状態での要部を示した概略斜視図である。
【図２】図１の要部の拡大図である。
【図３】クランパーの正面図である。
【図４】クランパーの平面図である。
【図５】作用説明図である。
【図６】農園芸用ハウスの部分斜視図である。
【符号の説明】
１　骨組み
２　シート
５　索体
６　支持体
７　クランパー
８，９　環体
１０　帯輪
５３　２枚重ね部
５３ａ　端縁側部位
５３ｂ　非端縁側部位
５４　輪部
７１，７２，７３　開口
８１，９１　縦杆部
８２，９２　横杆部
８３，９３　稜線部
【図１】
0003097850.tif 000003
【図２】
0003097850.tif 000004
【図３】
0003097850.tif 000005
【図４】
0003097850.tif 000006
【図５】
0003097850.tif 000007
【図６】
0003097850.tif 000008